(57)【要約】【課題】ディスプレイに表示された画像とともに参照すべき画像を表示する表示装置と、容易に組み合わせて使用できる情報処理装置を提供する。【解決手段】設置面に設置され、入力部への入力に応じて筐体に設けられる表示部に画像を表示する情報処理装置を、筐体における表示部の背面に、設置面に平行な軸を中心に回動可能に取り付けられ、軸に対向する辺が軸よりも表示部の表示内容における下端に近くなる第１の位置と、軸に対向する辺が軸よりも表示部の表示内容における下端から遠くなる第２の位置とで固定可能な載置台を有するように構成する。【選択図】図４
2012073887.tif 000002
【特許請求の範囲】
【請求項１】
設置面に設置され、入力部への入力に応じて筐体に設けられる表示部に画像を表示する情報処理装置であって、
前記筐体における前記表示部の背面に、設置面に平行な軸を中心に回動可能に取り付けられ、前記軸に対向する辺が前記軸よりも前記表示部の表示内容における下端に近くなる第１の位置と、前記軸に対向する辺が前記軸よりも前記表示部の表示内容における下端から遠くなる第２の位置とで固定可能な載置台を有することを特徴とする、情報処理装置。
【請求項２】
前記載置台は、前記第１の位置において前記筐体の背面と略平行となることを特徴とする、請求項１に記載の情報処理装置。
【請求項３】
前記載置台は、前記第２の位置において前記表示部の表示内容における下端から遠い方の面に、前記第２の位置において引き出し可能であって前記筐体の上面に接触する載置床を備えることを特徴とする、請求項１ないし２に記載の情報処理装置。
【請求項４】
前記設置床は、前記設置台が前記第２の位置において引き出されたときに、前記筐体の前面に接触する係止部を備えることを特徴とする、請求項１ないし３に記載の情報処理装置。
【請求項５】
前記載置台が前記第２の位置で固定されていることを検出する第１のセンサと、
前記載置台に所定の重量物が載置されていることを検出する第２のセンサをさらに備えることを特徴とする、請求項１ないし４に記載の情報処理装置。
【請求項６】
前記第１のセンサによって前記載置台が前記第２の位置で固定されていることが検出され、かつ、前記第２のセンサによって前記載置台に所定の重量物が載置されていることが検出されたときに、前記表示部の輝度を低下させることを特徴とする、請求項５に記載の情報処理装置。
【請求項７】
音声を出力する音声出力部をさらに備え、
前記第１のセンサによって前記載置台が前記第２の位置で固定されていることが検出され、かつ、前記第２のセンサによって前記載置台に所定の重量物が載置されていることが検出されたときに、前記音声出力部の出力音量を低下させることを特徴とする、請求項５ないし６に記載の情報処理装置。
【発明の詳細な説明】
【技術分野】
【０００１】
本発明は、ディスプレイに表示された画像によって文書作成が可能な情報処理装置に関する。
【背景技術】
【０００２】
情報処理装置を使用、例えばノートパソコンの画面を参照しつつ文書作成を行っているときに、作成中の文書内容を見直したり再構成したりするなど、画面の表示対象から一旦別のものに注意を向けたくなることがある。また、順調に文書作成中であったとしても、その時にどうしてもリアルタイムで視聴したいコンテンツがある場合がある。このような場合には、文書作成画面と同時に別コンテンツの表示を行うことが好ましい。
【０００３】
パソコンでは、マルチウィンドウシステムが普及しているため、１つのウィンドウで文書作成画面を表示し、別ウィンドウで所望のコンテンツを表示するようにして、かかる複数コンテンツの表示を行うことが可能である。
【０００４】
しかし、マルチウィンドウで複数コンテンツの表示を行うと、特にノートパソコンの場合、元々ある程度限られているディスプレイサイズを文書作成作業にフルに使用することができなくなる。また、プロセッサへの負荷も増大するため、パソコンの処理能力によっては、快適な作業ができなくなるおそれがある。
【０００５】
かかる事情から、単体で複数コンテンツの同時表示が可能なパソコンであったとしても、パソコンでの表示は文書作成のみとし、別体の表示装置によって別コンテンツを表示させるのが好ましいことがあり得る。
【０００６】
特許文献１は、組み合わせて使用する携帯端末装置本体と通信手段との固定構造を開示している。
【先行技術文献】
【特許文献】
【０００７】
【特許文献１】特開平１０−３０１６６７号公報
【発明の概要】
【発明が解決しようとする課題】
【０００８】
特許文献１の固定構造は、携帯端末装置本体を構成する表示体の側面に設けた溝に突起を挿入し、突起と通信手段とを粘着性部材で取り付けるよう構成されている。文書作成作業中のパソコンに表示装置を組み合わせて使用するのに、特許文献１の構成を適用すると、表示装置が側面を向くために、パソコンの表示と９０度向きが変わることとなる。したがって、使用者は、文書作成作業から別コンテンツ視聴にうつるときに場所を変えざるを得ず、シームレスな使用感覚が損なわれる。
【０００９】
また、表示体と突起とは溝に係合することで固定されているため、着脱は比較的容易であるが、表示装置と突起とが粘着性部材で取り付けられており、この着脱は容易ではない。すなわち、容易に着脱可能とすると、使用とともに粘着力が弱まって使用中に落下するおそれがある。一方、容易には着脱できないようにすると、表示装置が単独で使用されるときにも突起がつくことになり、その携帯性が損なわれる。さらに、表示体が備える溝は、突起が係合していないときに露出し、パソコンの美観を損ねる。
【００１０】
そこで、本発明は、ディスプレイに表示された画像とともに参照すべき画像を表示する表示装置と、容易に組み合わせて使用できる情報処理装置に関する。
【課題を解決するための手段】
【００１１】
本発明の情報処理装置は、設置面に設置され、入力部への入力に応じて筐体に設けられる表示部に画像を表示する情報処理装置であって、筐体における表示部の背面に、設置面に平行な軸を中心に回動可能に取り付けられ、軸に対向する辺が軸よりも表示部の表示内容における下端に近くなる第１の位置と、軸に対向する辺が軸よりも表示部の表示内容における下端から遠くなる第２の位置とで固定可能な載置台を有することを特徴とする。
【発明の効果】
【００１２】
本発明によれば、ディスプレイに表示された画像とともに参照すべき画像を表示する表示装置と、容易に組み合わせて使用できる情報処理装置を提供できる。
【図面の簡単な説明】
【００１３】
【図１】載置台が収納された状態における本実施形態の情報処理装置の斜視図である。
【図２】載置台が収納された状態における本実施形態の表示部筐体の側面図である。
【図３】載置台が収納された状態における本実施形態の表示部筐体の背面図である。
【図４】載置台が展開された状態における本実施形態の情報処理装置の斜視図である。
【図５】載置台が展開された状態における本実施形態の表示部筐体の側面図である。
【図６】載置台が展開された状態における本実施形態の表示部筐体の背面図である。
【発明を実施するための形態】
【００１４】
以下、図面を参照して本発明を実施するための形態について詳細に説明する。本実施形態は、ディスプレイに表示された画像によって文書作成が可能な情報処理装置である。
【００１５】
図１ないし図３は、本実施形態の情報処理装置の載置台が収納された状態を示す図である。図１は、載置台が収納された状態における本実施形態の情報処理装置の斜視図である。図１を参照すると、本実施形態の情報処理装置１は、表示部筐体１０と入力部筐体２０とを有し、入力部筐体２０は設置面に設置して操作可能に構成され、表示部筐体１０は、入力部筐体２０と共有する一辺の近傍を軸として回動可能に取り付けられている。
【００１６】
表示部筐体１０は、画像を表示可能なディスプレイ１１を有する。ディスプレイ１１は、例えば、液晶表示部とバックライトとからなる液晶ディスプレイユニットにより構成可能である。入力部筐体２０は、ユーザの操作により情報処理装置１への入力を受けつける入力部を有している。本実施形態においては、入力部筐体２０は、複数のボタンからなり、押下されたボタンに対応するキーコードを発生するキーボード２１と、表面へのタッチによってポインタの座標を制御するタッチパッド２２を有するよう構成されているが、これに限らない。
【００１７】
情報処理装置１は、入力部筐体２０の有する入力部へのユーザの操作に基づいて情報処理を行う情報処理部をさらに有し、情報処理部における情報処理結果をディスプレイ１１に表示する。情報処理部は、表示部筐体１０と入力部筐体２０のいずれが有するよう構成してもよく、図示していない。
【００１８】
図２は、載置台が収納された状態における本実施形態の表示部筐体の側面図である。図２を参照すると、表示部筐体１０は、ユーザがディスプレイ１１に表示される画像を視認しやすいように適切な角度で保持される。
【００１９】
図３は、載置台が収納された状態における本実施形態の表示部筐体の背面図である。図３を参照すると、表示部筐体１０の、ディスプレイ１１の配置されない面である背面には、載置台１２、載置床１３、および係止部１４が設けられる。図２で示したとおり、載置台１２、載置床１３、および係止部１４は、収納された状態では表示部筐体１０の表面から突出していない。
【００２０】
図４ないし図６は、本実施形態の情報処理装置の載置台が展開された状態を示す図である。図４は、載置台が展開された状態における本実施形態の情報処理装置の斜視図である。図５は、載置台が展開された状態における本実施形態の表示部筐体の側面図である。図６は、載置台が展開された状態における本実施形態の表示部筐体の背面図である。
【００２１】
図４ないし図６を参照すると、本実施形態の載置台１２は、設置面に設置されたディスプレイ１１における鉛直方向上側、すなわち表示内容の上端側において、設置面と略並行な軸を中心に回動可能に取り付けられており、図５に示す側面図において反時計回りに回動することで、表示部筐体１０の背面に突出して固定される。載置台１２の展開された状態での固定は、例えば、載置台１２を表示部筐体１０に回動可能に取り付けるヒンジを、所定の角度でラッチするようにして実施することができる。
【００２２】
このように構成することで、図示しない表示装置を載置台１２にもたれかからせるようにして配置して、組み合わせて使用することが可能となる。このとき、表示装置はディスプレイ１０の上方に配置され、入力部への入力の邪魔になることはない。
【００２３】
載置台１２、表示部筐体１０ないしヒンジに図示しないセンサを設けることにより、載置台の使用状態を検出することができる。例えば、ヒンジに角度センサを設けて載置台１２が表示部筐体１０となす角度を検出することにより、載置台１２が収納された状態であるか展開された状態であるかを検出可能に構成することができる。また、例えば、載置台１２に重量センサを設けて載置台１２に載置された物品の有無を検出することにより、表示装置が載置されているかどうかを検出可能に構成することができる。かかるセンサを用いることにより、載置台１２の使用状態に応じて情報処理装置１の動作を制御してもよい。例えば、載置台１２が使用されているときに、ディスプレイ１１の輝度を低下させるようにすると、表示装置に注目しやすくなる。また、情報処理装置１の音声出力部の出力を低下させるようにすることによっても、同様の効果を得ることができる。
【００２４】
本実施形態の載置台１２には、さらに、載置床１３が、載置台１２が表示部筐体１０に取り付けられる軸と平行な軸を中心に回動可能に取り付けられている。載置床１３は、図５に示す側面図において反時計回りに回動し、表示部筐体１０の上端に接触する。このように構成することで、表示装置を配置する面が平坦となり、より安定した配置が可能となる。
【００２５】
本実施形態の載置台１２には、さらに、載置床１３の先端に係止部１４が、載置床１３が載置台１２に取り付けられる軸と平行な軸を中心に回動可能に取り付けられている。係止部１４は、図５に示す側面図において反時計回りに回動し、表示部筐体１０の上端前面に接触する。このように構成することで、載置台１２が表示装置の重量によって押し下げられることを防止することができる。係止部１４を載置床１３に回動可能に取り付けるヒンジを所定の角度でラッチするように構成すると、押し下げ防止効果の観点からさらに好適である。
【符号の説明】
【００２６】
１    情報処理装置
１０  表示部筐体
１１  ディスプレイ
１２  載置台
１３  載置床
１４  係止部
２０  入力部筐体
２１  キーボード
２２  タッチパッド
【図１】
2012073887.tif 000003
【図２】
2012073887.tif 000004
【図３】
2012073887.tif 000005
【図４】
2012073887.tif 000006
【図５】
2012073887.tif 000007
【図６】
2012073887.tif 000008